(57)【要約】【課題】撮像装置間で設定情報を送受信する場合の利便性を向上させる。【解決手段】被写体を撮像するための撮像装置において、外部装置と通信するための通信部１３と、通信部によって受信した設定情報に基づいて、撮像装置の撮影条件を設定する撮影条件設定部８と、撮像装置の動作モードを設定するためのモード設定部８と、モード設定部により設定された撮像装置の動作モードが予め定められたモードである場合に、設定情報を受信するように前記通信部を制御する制御部８とを具備する。【選択図】      図１
2006245947.tif 000002
【特許請求の範囲】
【請求項１】
被写体を撮像するための撮像装置において、
外部装置と通信するための通信手段と、
該通信手段によって受信した設定情報に基づいて、前記撮像装置の撮影条件を設定する撮影条件設定手段と、
前記撮像装置の動作モードを設定するためのモード設定手段と、
該モード設定手段により設定された前記撮像装置の動作モードが予め定められたモードである場合に、前記設定情報を受信するように前記通信手段を制御する制御手段と、
を具備することを特徴とする撮像装置。
【請求項２】
前記予め定められたモードとは、被写体を撮影するための撮影モードであることを特徴とする請求項１に記載の撮像装置。
【請求項３】
前記制御手段は、前記設定情報を受信した直後に、該受信した設定情報を前記撮像装置の撮影条件に反映することを特徴とする請求項２に記載の撮像装置。
【請求項４】
受信した前記設定情報を記憶するための記憶手段をさらに具備することを特徴とする請求項１に記載の撮像装置。
【請求項５】
前記記憶手段は、電源を断っても記憶が失われない不揮発性メモリであることを特徴とする請求項４に記載の撮像装置。
【請求項６】
前記通信手段は、シリアル有線通信手段であることを特徴とする請求項１に記載の撮像装置。
【請求項７】
前記シリアル有線通信手段は、IEEE1394の仕様に基づく通信手段であることを特徴とする請求項６に記載の撮像装置。
【請求項８】
前記シリアル有線通信手段は、Universal Serial Busの仕様に基づく通信手段であることを特徴とする請求項６に記載の撮像装置。
【請求項９】
前記シリアル有線通信手段は、Ethernet(登録商標)の仕様に基づく通信手段であることを特徴とする請求項６に記載の撮像装置。
【請求項１０】
前記通信手段は、無線通信手段であることを特徴とする請求項１に記載の撮像装置。
【請求項１１】
前記無線通信手段は、IEEE802.11の仕様に基づく通信手段であることを特徴とする請求項１０に記載の撮像装置。
【請求項１２】
前記無線通信手段は、Ultra Wide Band （UWB）に基づく通信手段であることを特徴とする請求項１０に記載の撮像装置。
【請求項１３】
前記無線通信手段は、IEEE802.15の仕様に基づく通信手段であることを特徴とする請求項１０に記載の撮像装置。
【請求項１４】
前記無線通信手段は、Infrared Data Association （IrDA）に基づく通信手段であることを特徴とする請求項１０に記載の撮像装置。
【請求項１５】
前記通信手段は、前記設定情報を受信する前に、該設定情報を送信する外部装置のモードを変更するとともに、前記モード設定手段は前記通信手段が前記設定情報を受信する前に、前記撮像装置の動作モードを前記設定情報を受信可能な前記予め定められたモードに設定することを特徴とする請求項１に記載の撮像装置。
【請求項１６】
被写体を撮像するための撮像装置において、
該撮像装置の撮影条件を設定する撮影条件設定手段と、
該撮影条件設定手段により設定された撮影条件に対応する設定情報を外部装置に送信するための通信手段と、
前記撮像装置の動作モードを設定するためのモード設定手段と、
該モード設定手段により設定された前記撮像装置の動作モードが予め定められたモードである場合に、前記設定情報を送信するように前記通信手段を制御する制御手段と、
を具備することを特徴とする撮像装置。
【請求項１７】
前記予め定められたモードとは、前記撮影条件設定手段が前記設定情報を変更不可能な動作モードであることを特徴とする請求項１６に記載の撮像装置。
【請求項１８】
前記設定情報を記憶するための記憶手段をさらに具備することを特徴とする請求項１６に記載の撮像装置。
【請求項１９】
前記制御手段は、前記モード設定手段により設定された前記撮像装置の動作モードに基づいて、前記記憶手段からの前記設定情報の読み出しを許可することを特徴とする請求項１８に記載の撮像装置。
【請求項２０】
前記記憶手段は、電源を断っても記憶が失われない不揮発性メモリであることを特徴とする請求項１９に記載の撮像装置。
【請求項２１】
前記通信手段は、シリアル有線通信手段であることを特徴とする請求項１６に記載の撮像装置。
【請求項２２】
前記シリアル有線通信手段は、IEEE1394の仕様に基づく通信手段であることを特徴とする請求項２１に記載の撮像装置。
【請求項２３】
前記シリアル有線通信手段は、Universal Serial Busの仕様に基づく通信手段であることを特徴とする請求項２１に記載の撮像装置。
【請求項２４】
前記シリアル有線通信手段は、Ethernet(登録商標)の仕様に基づく通信手段であることを特徴とする請求項２１に記載の撮像装置。
【請求項２５】
前記通信手段は、無線通信手段であることを特徴とする請求項１６に記載の撮像装置。
【請求項２６】
前記無線通信手段は、IEEE802.11の仕様に基づく通信手段であることを特徴とする請求項２５に記載の撮像装置。
【請求項２７】
前記無線通信手段は、Ultra Wide Band （UWB）に基づく通信手段であることを特徴とする請求項２５に記載の撮像装置。
【請求項２８】
前記無線通信手段は、IEEE802.15の仕様に基づく通信手段であることを特徴とする請求項２５に記載の撮像装置。
【請求項２９】
前記無線通信手段は、Infrared Data Association （IrDA）に基づく通信手段であることを特徴とする請求項２５に記載の撮像装置。
【請求項３０】
前記モード設定手段は、前記通信手段が受信するモード変更情報に基づいて、前記撮像装置の動作モードを変更することを特徴とする請求項１６に記載の撮像装置。
【請求項３１】
請求項１に記載の撮像装置と、請求項１６に記載の撮像装置とを互いに通信可能に備えることを特徴とする撮像装置システム。
【請求項３２】
外部装置と通信するための通信手段と、該通信手段によって受信した設定情報に基づいて、撮像装置の撮影条件を設定する撮影条件設定手段と、前記撮像装置の動作モードを設定するためのモード設定手段とを備える撮像装置を制御する方法であって、
前記モード設定手段により設定された前記撮像装置の動作モードが予め定められたモードである場合に、前記設定情報を受信するように前記通信手段を制御することを特徴とする撮像装置の制御方法。
【請求項３３】
前記予め定められたモードとは、被写体を撮影するための撮影モードであることを特徴とする請求項３２に記載の撮像装置の制御方法。
【請求項３４】
前記設定情報を受信した直後に、該受信した設定情報を前記撮像装置の撮影条件に反映することを特徴とする請求項３３に記載の撮像装置の制御方法。
【請求項３５】
前記設定情報を受信する前に、該設定情報を送信する外部装置のモードを変更するとともに、前記設定情報を受信する前に、前記撮像装置の動作モードを前記設定情報を受信可能な前記予め定められたモードに設定することを特徴とする請求項３２に記載の撮像装置の制御方法。
【請求項３６】
請求項３２乃至３５のいずれか１項に記載の制御方法をコンピュータに実行させることを特徴とするプログラム。
【請求項３７】
請求項３６に記載のプログラムをコンピュータ読み取り可能に記憶したことを特徴とする記憶媒体。
【請求項３８】
撮像装置の撮影条件を設定する撮影条件設定手段と、該撮影条件設定手段により設定された撮影条件に対応する設定情報を外部装置に送信するための通信手段と、前記撮像装置の動作モードを設定するためのモード設定手段とを備える撮像装置を制御する方法であって、
前記モード設定手段により設定された前記撮像装置の動作モードが予め定められたモードである場合に、前記設定情報を送信するように前記通信手段を制御することを特徴とする撮像装置の制御方法。
【請求項３９】
前記予め定められたモードとは、前記撮影条件設定手段が前記設定情報を変更不可能な動作モードであることを特徴とする請求項３８に記載の撮像装置の制御方法。
【請求項４０】
前記通信手段が受信するモード変更情報に基づいて、前記撮像装置の動作モードを変更することを特徴とする請求項３８に記載の撮像装置の制御方法。
【請求項４１】
請求項３８乃至４０のいずれか１項に記載の制御方法をコンピュータに実行させることを特徴とするプログラム。
【請求項４２】
請求項４１に記載のプログラムをコンピュータ読み取り可能に記憶したことを特徴とする記憶媒体。
【発明の詳細な説明】
【技術分野】
【０００１】
本発明は、画像や映像を撮像する撮像装置間の通信技術に関する。
【背景技術】
【０００２】
従来、被写体を撮影して画像データを取り込むカムコーダーシステムや静止画カメラシステム等の電子カメラにおいては、撮影時に撮影条件等を設定してから撮影を行うようにしている。一般に電子カメラ等で被写体を撮影する場合、レンズ群を動かして拡大率を変化させることにより被写体の構図や画角を決め（ズーム）、シャッタ速度と絞り値とを調整することによりレンズへの十分な光量（露出）を確保し、レンズ群の焦点距離を調整することにより、被写体の撮像素子への結像（フォーカス）を確保し、撮像素子から出力される信号のゲイン（感度）を調整することにより画像の明るさを確保する。さらに、被写体の色は光源（色温度）によって変化するので、被写体の白色が正しく再現できるように色の配合バランスを調整（ホワイトバランス）している。
【０００３】
動画の場合には、１フィールドのスキャン時間が１／６０秒（ＮＴＳＣ等の５２５−６０システムの場合）であることから、シャッタ速度は１／６０秒に固定されることが多く、フォーカスや露出は適正な値となるように焦点や絞りを自動調整（ＡＦ、ＡＥ）する。さらに、撮像素子に結像された信号に対して一定の明るさを確保したり、正しく白色が再現されるように感度やホワイトバランスの調整を自動的（ＡＧＣ、ＡＷＢ）に行う。しかし、これらの調整は時間とともに変化する動画の画質が不安定にならないように、上記の各撮影条件（ズーム、シャッタ速度、絞り、フォーカス、感度、ホワイトバランス）の値を所定値に固定したり、ある程度制限したり、ゆっくり変化させたりしている。
【０００４】
これに対して静止画の場合は、動画のような時間軸方向の制約がないので、撮影者が撮影条件を変えて１つの被写体を特殊な効果をつけた画像に加工して取込む自由度が与えられる。しかし、これらの撮影条件の変え方と画像の仕上りの予測は、撮影者の経験と勘に頼るところが大きい。そこで、撮影者が画像にあまり特殊な効果を加えないような撮影条件、例えばフォーカス、感度、ホワイトバランス、被写体の光量（露出）等については、自動調整（ＡＦ、ＡＧＣ、ＡＷＢ、ＡＥ）し、画角だけをズームで撮影者に決定させることにより、初心者の撮影者でも静止画をあるレベルを保ったまま取込むことができるようになされている。
【０００５】
従来の電子カメラにおいてはこれらの撮影条件情報を画像データとともに記録再生して撮影者に認識させるシステムがいくつか提案されている。例えば民生用デジタルＶＣＲ規格（ＳＤフォーマット）によれば、画像データの空き領域（サブコードエリア、ビデオＡＵＸエリア、ＭＩＣ等）にコード化した撮影条件データ（システムデータのカメラパック）を記録するようにした装置もその一つである。これは記録された静止画像とともにその撮影条件データを再生し、被写体の画像データと撮影条件との相関を撮影者に認識させる。そして撮影者が次回の撮影時に被写体を同じような画像で取込みたいときに、先に認識した撮影条件で撮影すれば、より撮影者の指向に基づく画像取込みが実現できる。
【０００６】
本願出願人は、被写体の画像データと撮影条件を、簡潔にデータベース化し、上記データベースから、撮影者が好む画像を抽出しその撮影条件を取出し、上記取出された撮影条件を撮影装置の撮影条件に容易に反映させることが可能な撮影装置、撮影条件データベース装置、及び撮影システムを提案している（特許文献１参照）。
【０００７】
上記提案によれば、ユーザが過去に撮影した画像とそのときの撮影条件とをシンボルによって知ることができると共に、そのうちの適切な１つを選択することにより、その撮影条件が自動的に設定されて撮影を行うことができる。また、上記提案によれば、撮影装置が撮影した画像データとそのときの撮影条件とをシンボル化して記憶することによりデータ量を少なくしながら画像とその撮影条件とをデータベース化することができる。
【０００８】
また、本願出願人は、撮像装置の各種設定情報を予め入力しておくことにより、撮影したい場所では設定情報を自動的に読み出して設定を行うことのできる撮像装置および撮影方法、あるいは、撮像装置に予め付加情報を入力しておき、表示させた付加情報に合わせて撮影することのできる撮像装置及び撮影方法を提案している（特許文献２参照）。
【０００９】
さらに、本願出願人は、上記のごとき設定データをIEEE 1394 High Performance Serial Bus（以下、1394と称する）や、Universal Serial Bus（以下、USBと称する）などのディジタルインターフェイスを介して外部から設定可能な撮像装置を提案している（特許文献３参照）。
【特許文献１】特開平１０−１７８５８４号公報
【特許文献２】特開平１１−０９８４０４号公報
【特許文献３】特開２０００−１３８８６０号公報
【発明の開示】
【発明が解決しようとする課題】
【００１０】
しかしながら、上記の従来の装置においては、設定データを送信する際に送信装置の様々な操作が可能であり、設定データの送信中に当該設定データそのものを変更可能であるといった問題点がある。また、上記の従来のデータ受信側の装置においては、当該設定データを格納した受信側装置が、当該設定データを反映可能な状態か否かにかかわらず設定データの受信が可能であるので、常に当該設定データの効果をユーザが認識可能であるとは限らないといった問題点がある。
【００１１】
従って、本発明は上述した課題に鑑みてなされたものであり、その目的は、撮像装置間で設定情報を送受信する場合の利便性を向上させることである。
【課題を解決するための手段】
【００１２】
上述した課題を解決し、目的を達成するために、本発明に係わる撮像装置は、被写体を撮像するための撮像装置において、外部装置と通信するための通信手段と、該通信手段によって受信した設定情報に基づいて、前記撮像装置の撮影条件を設定する撮影条件設定手段と、前記撮像装置の動作モードを設定するためのモード設定手段と、該モード設定手段により設定された前記撮像装置の動作モードが予め定められたモードである場合に、前記設定情報を受信するように前記通信手段を制御する制御手段と、を具備することを特徴とする。
【００１３】
また、本発明に係わる撮像装置は、被写体を撮像するための撮像装置において、該撮像装置の撮影条件を設定する撮影条件設定手段と、該撮影条件設定手段により設定された撮影条件に対応する設定情報を外部装置に送信するための通信手段と、前記撮像装置の動作モードを設定するためのモード設定手段と、該モード設定手段により設定された前記撮像装置の動作モードが予め定められたモードである場合に、前記設定情報を送信するように前記通信手段を制御する制御手段と、を具備することを特徴とする。
【００１４】
また、本発明に係わる撮像装置システムは、上記の撮像装置を互いに通信可能に備えることを特徴とする。
【００１５】
また、本発明に係わる撮像装置の制御方法は、外部装置と通信するための通信手段と、該通信手段によって受信した設定情報に基づいて、撮像装置の撮影条件を設定する撮影条件設定手段と、前記撮像装置の動作モードを設定するためのモード設定手段とを備える撮像装置を制御する方法であって、前記モード設定手段により設定された前記撮像装置の動作モードが予め定められたモードである場合に、前記設定情報を受信するように前記通信手段を制御することを特徴とする。
【００１６】
また、本発明に係わる撮像装置の制御方法は、撮像装置の撮影条件を設定する撮影条件設定手段と、該撮影条件設定手段により設定された撮影条件に対応する設定情報を外部装置に送信するための通信手段と、前記撮像装置の動作モードを設定するためのモード設定手段とを備える撮像装置を制御する方法であって、前記モード設定手段により設定された前記撮像装置の動作モードが予め定められたモードである場合に、前記設定情報を送信するように前記通信手段を制御することを特徴とする。
【００１７】
また、本発明に係わるプログラムは、上記の制御方法をコンピュータに実行させることを特徴とする。
【００１８】
また、本発明に係わる記憶媒体は、上記のプログラムをコンピュータ読み取り可能に記憶したことを特徴とする。
【発明の効果】
【００１９】
本発明によれば、撮像装置間で設定情報を送受信する場合の利便性を向上させることである。
【発明を実施するための最良の形態】
【００２０】
以下、本発明をカメラ一体型ＶＴＲに適用した実施形態について説明する。
【００２１】
（第１の実施形態）
図１は本発明の第１の実施形態のカメラ一体型ＶＴＲの構成を示すブロック図である。
【００２２】
図１において１は被写体からの光を集光するビデオレンズ、２はビデオレンズ１によって集光された光信号を電気信号に変換する撮像素子としてのＣＣＤ、３はＣＣＤ２から出力される電気信号にカメラ信号処理を行い、映像信号を出力すると共に、マイクロコンピュータ８の指示により映像の色合い、色の濃さ、明るさ、撮影時のシャッタ速度、絞り値等の設定値を変えることのできるカメラ信号処理ブロックである。
【００２３】
４はビデオ、オーディオ信号処理ブロックであり、マイクロコンピュータ８の指示により、撮影時には、カメラ信号処理ブロック３から出力された映像信号とマイク１６からの音声信号とを処理してＶＴＲメカ１１に記録信号を送る。また同時に、ＬＣＤ（液晶表示装置）６に画像確認用の映像信号を出力し、ビデオ出力端子１７に映像信号を出力し、オーディオ出力端子１８に音声信号を出力する。再生時には、ＶＴＲメカ１１により磁気テープから再生された信号を処理して再生画確認用の映像信号をＬＣＤ６に出力し、ビデオ出力端子１７に再生映像信号を出力し、オーディオ出力端子１８に再生音声信号を出力する。また、１３９４Ｉ／Ｆブロック１３ヘデジタル信号出力に変換するためのビデオ信号及びオーディオ信号を供給する。
【００２４】
５はビデオ、オーディオ信号処理ブロック４から出力された映像信号に、表示文字発生ブロック７から出力された文字信号をミックスしてＬＣＤ６に供給するミックス回路、６は上記文字信号をミックスされた映像信号を表示するＬＣＤ、７はマイクロコンピュータ８の制御により文字信号を発生する表示文字発生ブロック、８はカメラ一体型ＶＴＲ全体の動作を制御すると共に、１３９４ケーブルにより外部機器と接続されたとき、１３９４Ｉ／Ｆブロック１３を介して外部機器からのコマンドを受け取り、カメラの調整値等を変える制御を行うマイクロコンピュータである。
【００２５】
９はカメラ一体型ＶＴＲを操作する操作部、１０はマイクロコンピュータ８の指示によりＶＴＲメカ１１を動作させるＶＴＲメカドライブブロック、１１は記録信号をメモリ内蔵カセット１２に収納された磁気テープ等の記録媒体に対して記録再生を行うとともに、メモリ内蔵カセット１２のメモリ部とマイクロコンピュータ８の通信ラインのコンタクト部を備えたＶＴＲメカ、１２は磁気テープとマイクロコンピュータ８との通信によりデータを記録できる不揮発性メモリとが内蔵されたメモリ内蔵カセット、１３は外部機器との接続用の１３９４Ｉ／Ｆブロック、１４はマイクロコンピュータ８と通信し所定データを記憶するメモリである。
【００２６】
１５はカメラ画質等の設定を操作する設定操作部、ＳＷ１はカメラ画質等の設定モードに入る又は抜けるためのメニューＳＷ（スイッチ）、ＳＷ２はカーソル１（図３参照）を上方向へ移動操作するための上ＳＷ、ＳＷ３はカーソル１を下方向へ移動操作するための下ＳＷ、ＳＷ４はカーソル２（図３参照）を右方向へ移動操作するための右ＳＷ、ＳＷ５はカーソル２を左方向へ移動操作するための左ＳＷ、ＳＷ６はカーソル１及びカーソル２で指定されたデータを増加操作するためのデータ増加ＳＷ、ＳＷ７はカーソル１及びカーソル２で指定されたデータを減少操作するためのデータ減少ＳＷである。
【００２７】
１６は撮影時の音を電気信号に変換しビデオ、オーディオ信号処理ブロック４に供給するマイク、１７はビデオ、オーディオ信号処理ブロック４から出力された映像信号を外部機器に供給するビデオ出力端子、１８はビデオ、オーディオ信号処理ブロック４から出力された音声信号を外部機器に供給するオーディオ出力端子、１９はマイクロコンピュータ８との通信でデータを記憶するカメラ一体型ＶＴＲに着脱可能な外部メモリである。２１は電源が供給されなくなってもデータが消去されないEEPROMなどの不揮発性メモリである。本実施形態における設定データ値は最終的に不揮発性メモリ２１に格納され、カメラ一体型ＶＴＲ装置の電源を断ってもデータが保存されるようになっている。
【００２８】
次に、上記構成による動作について図２、図３、及び図４を参照して説明する。
【００２９】
図２はカメラ画質等の設定値を変更する動作を示すフローチャートである。本フローチャートは、マイクロコンピュータ８の制御により決められた時間ごとに繰り返し動作するものである。
【００３０】
ステップＳ０１は、カメラ一体型ＶＴＲがカメラ画質等の設定中かを判断するステップであり、設定フラグが１であれば設定中と判断してステップＳ０５に進み、設定フラグが０であればステップＳ０２に進む。
【００３１】
ステップＳ０２は、メニュースイッチＳＷ１が押されているかどうかを判断するステップであり、ＳＷ１が押されていればカメラ画質等の設定モードに入ると判断しステップＳ０３に移り、ＳＷ１が押されていなければ本フローを終了する。
【００３２】
ステップＳ０３では、カメラ画質等の設定モード中であることを宣言するための設定フラグを１にして次のステップＳ０４に進み、図３のカメラ画質等の設定表示を行い、次のステップＳ０９に進む。
【００３３】
ステップＳ０９は、カーソル１を上方向に移動操作するスイッチＳＷ２が押されているかを判断するステップであり、押されていなければステップＳ１１に移り、押されていればステップＳ１０に進む。
【００３４】
ステップＳ１０では、カーソル１の位置メモリの値を増加させ、その値で指示される位置にカーソル１を移動させると共に、図３に示すカーソル１で指示された各カメラ画質等の設定状態に従ってカメラ画質等を変更する。また、カメラ画質の設定変更には時間のかかるものがあるので、設定変更が完了するまでカーソル１を点滅状態とする。但し、カーソル１の移動限界位置であれば、カーソル１の位置メモリの値を変化させることなく、次のステップＳ１７に移る。
【００３５】
ステップＳ１１は、カーソル１を下方向に移動操作するスイッチＳＷ３が押されているかを判断するステップであり、押されていなければステップＳ１３に移り、押されていればステップＳ１２に進む。
【００３６】
ステップＳ１２では、カーソル１の位置メモリの値を減少させ、その値で指示される位置にカーソル１を移動させると共に、図３に示すカーソル１で指示された各カメラ画質等の設定状態に従ってカメラ画質等を変更する。また、カメラ画質の設定変更には時間のかかるものがあるので、設定変更が完了するまでカーソル１を点滅状態とする。但し、カーソル１の移動限界位置であれば、カーソル１の位置メモリの値を変化させることなく、次のステップＳ１７に移る。
【００３７】
ステップＳ１３は、カーソル２を右方向に移動操作するスイッチＳＷ４が押されているかを判断するステップであり、押されていなければステップＳ１５に移り、押されていればステップＳ１４に進む。
【００３８】
ステップＳ１４では、カーソル２の位置メモリの値を増加させ、その値で指示される位置にカーソル２を移動させる。但し、カーソル２の移動限界位置であれば、カーソル２の位置メモリの値を変化させることなく、次のステップＳ１７に移る。
【００３９】
ステップＳ１５は、カーソル２を左方向に移動操作するスイッチＳＷ４が押されているかを判断するステップであり、押されていなければステップＳ１７に移り、押されていればステップＳ１６に進む。
【００４０】
ステップＳ１６では、カーソル２の位置メモリの値を減少させ、その値で指示される位置にカーソル２を移動させる。但し、カーソル２の移動限界位置であれば、カーソル２の位置メモリの値を変化させることなく、ステップＳ１７に移る。
【００４１】
ステップＳ１７は、カーソル１とカーソル２で指示されたデータを増加操作するスイッチＳＷ６が押されているかを判断するステップであり、押されていなければステップＳ１９に移り、押されていればステップＳ１８に進む。
【００４２】
ステップＳ１８では、カーソル１とカーソル２で指示された項目に対応したメモリの値を増加させ、その指示された項目に対応したメモリの値に従って表示を変更すると共に、指示された項目に対応したメモリの値に従ってカメラ画質等を変更する。また、カメラ画質の設定変更には時間のかかるものがあるので、設定変更が完了するまでカーソル１を点滅状態とする。但し、上記指示された項目が設定限界値であれば、指示された項目に対応したメモリの値を変化させることなく、次のステップＳ１９に移る。
【００４３】
ステップＳ１９は、カーソル１とカーソル２で指示されたデータを減少操作するスイッチＳＷ７が押されているかを判断するステップであり、押されていなければ本フローを終了し、押されていればステップＳ２０に進む。
【００４４】
ステップＳ２０では、カーソル１とカーソル２で指示された項目に対応したメモリの値を減少させ、上記指示された項目に対応したメモリの値に従って表示を変更すると共に、指示された項目に対応したメモリの値に従ってカメラ画質等を変更する。また、カメラ画質の設定変更には時問のかかるものがあるので、設定変更が完了するまでカーソル１を点滅状態とする。但し、上記指示された項目が設定限界値であれば、指示された項目に対応したメモリの値を変化させることなく、本フローを終了する。
【００４５】
ステップＳ０５では、メニュースイッチＳＷ１の状態によりカメラ画質等の設定モード中であると判断するとステップＳ０６に進み、設定モード中を抜けると判断すれば、上記ステップＳ０９に進む。
【００４６】
ステップＳ０６では、カメラ画質等の設定モードであることを宣言するフラグを０にしてカメラ画質等の設定モードを終了し、ステップＳ０７で、図４の通常画面表示に戻し、次のステップＳ０８に進む。ステップＳ０８では、カーソル１の位置メモリの値で指示された設定状態を図４で示すように表示し、本フローを終了する。
【００４７】
なお、上記のスイッチＳＷ１〜ＳＷ７で設定された設定値は、既に述べたように不揮発性メモリ２１に記憶される。
【００４８】
上記動作により、本実施形態のカメラ一体型ＶＴＲにおいては、一つの制御項目について複数の制御データ値を設定、記憶することができるので、撮影するごとに設定をやり直す手間を省くことができる効果がある。例えば、ある撮像条件に合ったカメラ設定状態を複数用意し、以前設定した撮像条件で撮影するときは、以前設定した設定状態を選択することにより、カメラの制御状態は以前と同じなので、再度設定を行う必要がなくなるといった効果がある。
【００４９】
本実施形態においては、上記構成を有するカメラ一体型ＶＴＲ同士を接続して上記設定データを授受することが可能である。
【００５０】
以下に図５を参照してカメラ一体型ＶＴＲ同士を接続する場合の構成について説明する。
【００５１】
図５において、５１は上記設定データ（スイッチＳＷ１〜ＳＷ７で設定された設定値）を送信する第１のカメラ一体型ＶＴＲ、５２は上記設定データを受信する第２のカメラ一体型ＶＴＲ、５３は上記第１及び第２のカメラ一体型ＶＴＲを接続するためのIEEE1394ケーブルである。設定データは、図１における１３９４Ｉ／Ｆブロック１３を介して、授受されるようになされている。
【００５２】
本実施形態のカメラ一体型ＶＴＲは、例えば、AV/C Compatible Asynchronous Serial Bus Connections規格、AV/C Commands for Management of Asynchronous Serial Bus Connections規格、及びAV/C Camera Storage Subunit規格にしたがって上記設定データを授受する。以下、AV/C Compatible Asynchronous Serial Bus Connections規格、AV/C Commands for Management of Asynchronous Serial Bus Connections規格の２規格を併せてAsynchronous Connection、AV/C Camera Storage Subunit規格をCamera Storageと称する。
【００５３】
本実施形態では、例えば、カメラ一体型ＶＴＲ５１のモードが排他モードのとき、及び受信側のカメラ一体型ＶＴＲ５２のモードがカメラモードのとき、上記設定データを授受するように構成されている。上記カメラモードでは、主に撮影動作が行なわれ、上記排他モードにおいては、主に上記ディジタルインターフェイス（本実施例ではIEEE1394）を介してＰＣ（パーソナルコンピュータ）やその他のネットワークコントローラなどから操作される動作が行なわれる。また、本実施形態のカメラ一体型ＶＴＲにおいては、上記したモードの他に、主に再生などＶＴＲ操作を行なうためのＶＴＲモードがある。
【００５４】
本実施形態では、例えば、上記俳他モード、カメラモード、ＶＴＲモードの切り替えは、電源スイッチを兼用したモードスイッチによって行なわれる。このモードスイッチを、図６に示す。図６において、６０はモード変更、及び電源を断つためのモードダイアルである。本実施形態では、モードダイアル６０を図６に示すモード指示位置に回転させることで、モード変更、及び電源断が行なわれる。
【００５５】
本実施形態の送信側カメラ一体型ＶＴＲ５１では、例えば、上記モードダイアル６０が排他モードの位置になると、上述のAsynchronous Connection動作、及び、Camera Storage Subunit動作が可能になるとともに、不揮発性メモリ２１に記憶されている上記設定データの外部への読み出しが許可される。上記Asynchronous Connection動作、及び、Camera Storage Subunit動作は、例えば、カメラ一体型ＶＴＲ５１内部のソフトウェアで構成されており、マイクロコンピュータ８によって実行される。
【００５６】
上記排他モードにおいては、本実施形態のカメラ一体型ＶＴＲは、図６に示すモードスイッチ、及び、不図示のズームスイッチなど限定されたスイッチの操作のみが可能で、その他のスイッチは受け付けられないように構成されている。すなわち、排他モードにおいては、上記ディジタルインターフェイス（本実施形態ではIEEE1394）を介したＰＣやその他のネットワークコントローラなどからの操作を優先して処理するように構成されている。
【００５７】
一方、本実施形態の受信側カメラ一体型ＶＴＲ５２では、例えば、上記モードダイアル６０がカメラモードの位置に設定されると、上述のAsynchronous Connection、及び、Camera Storageをコントロールするためのコントローラが動作できるようにアクティブになる。このコントローラは、例えば、カメラ一体型ＶＴＲ５２内部のソフトウェアで構成されており、マイクロコンピュータ８によって実行される。
【００５８】
次に、図７に示すシークエンスチャート図を用いて、設定データの授受動作の概要について説明する。なお、本明細書で参照するシークエンスチャート図は、ITU-T Recommendation Z.120 Message Sequence Chart（以下MSCと称する）規格に準ずる。
【００５９】
本実施形態の送信側のカメラ一体型ＶＴＲ５１は、例えば、Asynchronous Connection動作、及びCamera Storage Subunit動作を行なうAsynchronous Connection & Camera Storage Subunitモジュール７０と、上記設定データを記憶する不揮発性メモリ２１から構成されるメモリモジュール７１と、モードの制御を行なうMain Controllerモジュール７２とを備えて構成される。また、受信側カメラ一体型ＶＴＲ５２は、送信側のMain Controllerモジュール７２と同様にモードの制御を行なうMain Controllerモジュール７３と、Asynchronous Connection、及びCamera Storageの制御を行なうAsynchronous Connection & Camera Storage Controllerモジュール７４とを備えて構成される。
【００６０】
図７において、操作者によって送信側カメラ一体型ＶＴＲ５１が例えばカメラモードから排他モードにモード変更されるとMain Controllerモジュール７２は、カメラモードから排他モード状態に遷移する。このモード遷移の際に、Main Controllerモジュール７２は、メモリモジュール７１に対してメモリ読み出し許可を与えるとともに、Asynchronous Connection & Camera Storage Subunitモジュール７０をアクティブ化する。上記動作により、メモリモジュール７１は読み出し禁止状態から読み出し許可状態へ、Asynchronous Connection & Camera Storage Subunitモジュール７０はInactive状態からActive状態へ、それぞれ遷移する。
【００６１】
また、操作者によって受信側カメラ一体型ＶＴＲ５２が電源断からカメラモードにモード変更されるとMain Controllerモジュール７３は、電源断状態からカメラモード状態に遷移する。このモード遷移の際に、Main Controllerモジュール７３は、Asynchronous Connection & Camera Storage Controllerモジュール７４をアクティブ化する。上記動作により、Asynchronous Connection & Camera Storage Controllerモジュール７４は、Inactive状態からActive状態へと状態遷移する。
【００６２】
受信側カメラ一体型ＶＴＲ５２に、外部の操作者から設定データの授受トリガが入力されると、Main Controllerモジュール７３は、Asynchronous Connection & Camera Storage Controllerモジュール７４に、データ授受を開始させるためのトリガを発行する。このトリガを受信したAsynchronous Connection & Camera Storage Controllerモジュール７４は、送信側カメラ一体型ＶＴＲ５１のAsynchronous Connection & Camera Storage Subunitモジュール７０に対し、AllocateAttachの値をもつAsynchronous Connection Commandを、１３９４Ｉ／Ｆブロック１３を介して送信する。このコマンドはAsynchronous Connectionにおけるコネクション確立を開始させるためのトリガとなる。送信側カメラ一体型ＶＴＲ５１が接続可能な状態にあれば、Asynchronous Connection & Camera Storage Subunitモジュール７０はACCEPTEDの値を持つAsynchronous Connection Responseを返し、コネクションが確立される。上記のようにコネクションが確立されると、Asynchronous Connection & Camera Storage Subunitモジュール７０、及びAsynchronous Connection & Camera Storage Controllerモジュール７４は、それぞれConnected状態に遷移する。
【００６３】
次に、Asynchronous Connection & Camera Storage Controllerモジュール７４は、Camera Storage CommandであるSEND FILE Commandを発行する。このコマンドを受信したAsynchronous Connection & Camera Storage Subunitモジュール７０は、INTERIMの値を持つSEND FILE Responseを発行して、データを送信すべく準備を開始する。Asynchronous Connection & Camera Storage Subunitモジュール７０は、次に、メモリモジュール７１にFile Data Requestを発行し、File Dataを受信する。このFile Dataは１３９４Ｉ／Ｆブロック１３を介してAsynchronous Connection & Camera Storage Controllerモジュール７４に送信される。この１３９４Ｉ／Ｆブロック１３を介したFile Dataの送信が終了すると、Asynchronous Connection & Camera Storage Subunitモジュール７０は、ACCEPTEDの値を持つSEND FILE Responseを発行してデータの送信を終了する。
【００６４】
データ受信が終了すると、Asynchronous Connection & Camera Storage Controllerモジュール７４は、コネクションを開放するためにDetachReleaseの値を有するAsynchronous Connection Commandを、１３９４Ｉ／Ｆブロック１３を介してAsynchronous Connection & Camera Storage Subunitモジュール７０に発行する。コネクションの開放が可能な状態であれば、Asynchronous Connection & Camera Storage Subunitモジュール７０はACCEPTEDの値を有するAsynchronous Connection Responseを返し、コネクションは開放され、設定データ授受動作が完了する。その後、受信が完了した受信側カメラ一体型ＶＴＲ５２は、受信した設定データを不揮発性メモリ２１に格納するとともに、撮影条件の設定に反映させる。
【００６５】
上述したように本実施形態では、送信側カメラ一体型ＶＴＲにおいては、外部からの操作に制限がある排他モードでのみ送信が可能であるように構成しているので、設定データの送信に際してデータを変更不可能なため、確定した設定データを送信することが出来る効果がある。また、本実施形態の受信側カメラ一体型ＶＴＲにおいては、設定データの撮像装置への反映が可能なカメラモードで受信を行なうように構成しているので、設定データ受信後、この設定データを直ちに撮影条件に反映してその効果を確認できるので、著しく操作性が向上する効果がある。
【００６６】
なお、本実施形態ではディジタルインターフェイスとして設定データの授受に1394を用いているが、USBやEthernet(登録商標)、あるいは802.11などの無線LANを用いて設定データを授受するよう構成しても良いことはいうまでも無い。また、設定データの授受にInfrared Data Associationの仕様に基づくデータ通信やUltra Wide Band（UWB）などの他の無線通信手段や、その他の有線通信手段を用いても良いことはいうまでも無い。
【００６７】
（第２の実施形態）
上述の第１の実施形態では送信側カメラ一体型ＶＴＲ５１のモード変更は操作者が行なうように構成されていたが、このモード変更はディジタルインターフェイスを介して自動的に行なわせるように構成してもよい。以下に、図８に示すシークエンスチャート図を用いて、この授受動作の概要を説明する。
【００６８】
図８においては、図７と同様に、送信側のカメラ一体型ＶＴＲ５１は、例えば、Asynchronous Connection動作、及び、Camera Storage Subunit動作を行なうAsynchronous Connection & Camera Storage Subunitモジュール７０と、上記設定データを記憶する不揮発性メモリ２１から構成されるメモリモジュール７１と、モードの制御を行なうMain Controllerモジュール７２とを備えて構成される。また、受信側カメラ一体型ＶＴＲ５２は、送信側のMain Controllerモジュール７２と同様にモードの制御を行なうMain Controllerモジュール７３と、Asynchronous Connection及びCamera Storageの制御を行なうAsynchronous Connection & Camera Storage Controllerモジュール７４とを備えて構成される。
【００６９】
図８において、操作者によって受信側カメラ一体型ＶＴＲ５２が例えば排他モードのときに、外部の操作者から設定データ授受トリガが入力されるとMain Controllerモジュール７３は、排他モード状態からカメラモード状態に遷移する。このモード遷移の際に、Main Controllerモジュール７３は、Asynchronous Connection & Camera Storage Controllerモジュール７４をアクティブ化する。上記動作により、Asynchronous Connection & Camera Storage Controllerモジュール７４は、Inactive状態からActive状態へと状態遷移する。Asynchronous Connection & Camera Storage Controllerモジュール７４は、Inactive状態からActive状態へと状態遷移する際に、１３９４Ｉ／Ｆブロック１３を介して、送信側カメラ一体型ＶＴＲ５１のAsynchronous Connection & Camera Storage Subunitモジュール７０に対してモード変更コマンドを発行する。
【００７０】
上記モード変更コマンドを受信すると、送信側カメラ一体型ＶＴＲ５１のAsynchronous Connection & Camera Storage Subunitモジュール７０は、このモード変更が可能な状態だった場合、ACCEPTEDの値を持つモード変更ResponseをAsynchronous Connection & Camera Storage Controllerモジュール７４に返すと供に、Main Controller７２にモード変更の指示を発行する。上記Responseを受信したAsynchronous Connection & Camera Storage Controllerモジュール７４は、モード変更の完了通知を、Main Controller７３に発行する。この完了通知を受信したMain Controller７３は、モードを排他モードからカメラモードに変化させる。
【００７１】
上記動作により、送信側カメラ一体型ＶＴＲ５１がカメラモードから排他モードにモード変更されるとMain Controllerモジュール７２は、カメラモードから排他モード状態に遷移する。このモード遷移の際に、Main Controllerモジュール７２は、メモリモジュール７１に対してメモリ読み出し許可を与えるとともに、Asynchronous Connection & Camera Storage Subunitモジュール７０をアクティブ化する。上記動作により、メモリモジュール７１は読み出し禁止状態から読み出し許可状態へ、Asynchronous Connection & Camera Storage Subunitモジュール７０はInactive状態からActive状態へ、それぞれ、遷移する。
【００７２】
上述した動作により、カメラモードへ遷移した受信側カメラ一体型ＶＴＲ５２のMain Controllerモジュール７３は、Asynchronous Connection & Camera Storage Controllerモジュール７４に、データ授受を開始させるためのトリガを発行する。このトリガを受信したAsynchronous Connection & Camera Storage Controllerモジュール７４は、送信側カメラ一体型ＶＴＲ５１のAsynchronous Connection & Camera Storage Subunitモジュール７０に対し、AllocateAttachの値をもつAsynchronous Connection Commandを、１３９４Ｉ／Ｆブロック１３を介して送信する。このコマンドはAsynchronous Connectionにおけるコネクション確立を開始させるためのトリガとなる。送信側カメラ一体型ＶＴＲ５１が接続可能な状態にあれば、Asynchronous Connection & Camera Storage Subunitモジュール７０はACCEPTEDの値を持つAsynchronous Connection Responseを返し、コネクションが確立される。上記のようにコネクションが確立されると、Asynchronous Connection & Camera Storage Subunitモジュール７０、及びAsynchronous Connection & Camera Storage Controllerモジュール７４は、それぞれConnected状態に遷移する。
【００７３】
次に、Asynchronous Connection & Camera Storage Controllerモジュール７４は、Camera Storage CommandであるSEND FILE Commandを発行する。このコマンドを受信した、Asynchronous Connection & Camera Storage Subunitモジュール７０は、INTERIMの値を持つSEND FILE Responseを発行して、データを送信すべく準備を開始する。Asynchronous Connection & Camera Storage Subunitモジュール７０は、次に、メモリモジュール７１にFile Data Requestを発行し、File Dataを受信する。このFile Dataは１３９４Ｉ／Ｆブロック１３を介してAsynchronous Connection & Camera Storage Controllerモジュール７４に送信される。この１３９４Ｉ／Ｆブロック１３を介したFile Dataの送信が終了すると、Asynchronous Connection & Camera Storage Subunitモジュール７０は、ACCEPTEDの値を持つSEND FILE Responseを発行してデータの送信を終了する。
【００７４】
データ受信が終了すると、Asynchronous Connection & Camera Storage Controllerモジュール７４は、コネクションを開放するためにDetachReleaseの値を有するAsynchronous Connection Commandを、１３９４Ｉ／Ｆブロック１３を介してAsynchronous Connection & Camera Storage Subunitモジュール７０に発行する。コネクションの開放が可能な状態であれば、Asynchronous Connection & Camera Storage Subunitモジュール７０はACCEPTEDの値を有するAsynchronous Connection Responseを返し、コネクションは開放され、設定データ授受動作が完了する。その後、受信が完了した受信側カメラ一体型ＶＴＲ５２は、受信した設定データを不揮発性メモリ２１に格納するとともに、撮影条件の設定に反映させる。
【００７５】
上述したように本実施形態では、送信側カメラ一体型ＶＴＲにおいては、外部からの操作に制限がある排他モードでのみ送信が可能であるように構成しているので、設定データの送信に際してデータを変更不可能なため、確定した設定データを送信することが出来る効果がある。また、本実施形態の受信側カメラ一体型ＶＴＲにおいては、設定データの撮像装置への反映が可能なカメラモードで受信を行なうように構成しているので、設定データ受信後、この設定データを直ちに撮影条件に反映してその効果を確認できるので、著しく操作性が向上する効果がある。また、本実施形態では、上記動作により、受信側のカメラ一体型ＶＴＲ５２の単一のトリガ操作で、送信側カメラ一体型ＶＴＲ５１のモード変更、受信側カメラ一体型ＶＴＲ５２のモード変更、及び、トリガ動作が可能なので、操作性が著しく向上する効果がある。
【００７６】
なお、本実施形態では設定データの授受にディジタルインターフェイスとして1394を用いているが、USBやEthernet(登録商標)、あるいは802.11などの無線LANを用いて設定データを授受するよう構成しても良いことはいうまでも無い。また、設定データの授受にInfrared Data Associationの仕様に基づくデータ通信やUltra Wide Band（UWB）などの他の無線通信手段や、その他の有線通信手段を用いても良いことはいうまでも無い。
【００７７】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００７８】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７９】
本発明を上記記憶媒体に適用する場合、その記憶媒体には、先に説明した手順に対応するプログラムコードが格納されることになる。
【図面の簡単な説明】
【００８０】
【図１】本発明の第１の実施形態のカメラ一体型ＶＴＲの構成を示すブロック図である。
【図２】設定操作時の動作を示すフローチャートである。
【図３】設定状態の表示例を示す図である。
【図４】通常動作時の表示例を示す図である。
【図５】カメラ一体型ＶＴＲ同士を接続した状態を示す図である。
【図６】モードスイッチを示す模式図である。
【図７】第１の実施形態の動作を示すシークエンスチャート図である。
【図８】第２の実施形態の動作を示すシークエンスチャート図である。
【符号の説明】
【００８１】
３  カメラ信号処理ブロック
４  ビデオ、オーディオ信号処理ブロック
８  マイクロコンピュータ
１３  ディジタルインターフェイスブロック
１４  メモリ
１５  設定操作部
２１  不揮発性メモリ
【図１】
2006245947.tif 000003
【図２】
2006245947.tif 000004
【図３】
2006245947.tif 000005
【図４】
2006245947.tif 000006
【図５】
2006245947.tif 000007
【図６】
2006245947.tif 000008
【図７】
2006245947.tif 000009
【図８】
2006245947.tif 000010